(57)【要約】【課題】バックライトの省電力化を行う手段として、バックライトの輝度設定を暗くしたり、ＯＦＦ設定する機能を設けている場合があるが、バックライトの省電力を図ることはできるものの、視認性の低下や、切替設定を行うユーザ操作を必要とする問題があった。【解決手段】入力されたコンテンツデータの文字色と背景色の指定を検出し、指定された文字色の明度と背景色の明度を算出し、算出された明度から文字色と背景色のコントラスト値を算出してこの算出されたコントラスト値と記憶部４に格納されているコントラスト基準値とを比較し、算出されたコントラスト値とコントラスト基準値との差を算出し、文字色と背景色のコントラスト値がコントラスト基準値となるように文字色と背景色の明度を調節し、バックライト８の輝度レベルを設定する制御部３を備えている。【選択図】　　　　　図１
2004004372.tif 000002
【特許請求の範囲】
【請求項１】
入力されたコンテンツデータの文字色と背景色の指定を検出し該指定された文字色の明度と背景色の明度を算出し該算出された明度から文字色と背景色のコントラスト値を算出して該算出されたコントラスト値と記憶部に格納されているコントラスト基準値とを比較し該算出されたコントラスト値と前記コントラスト基準値との差を算出し、文字色と背景色のコントラスト値が前記コントラスト基準値となるように文字色と背景色の明度を調節し、バックライトの輝度レベルを設定する制御手段を有することを特徴としたコンテンツのコントラスト制御方式。
【請求項２】
前記算出された文字色と背景色のコントラスト値が前記コントラスト基準値よりも大きいときにはバックライトの輝度を最低レベルに設定してコンテンツを表示することを更に特徴とする請求項１に記載のコンテンツのコントラスト制御方式。
【請求項３】
前記算出された文字色と背景色のコントラスト値が前記コントラスト基準値よりも小さいときには前記コントラスト基準値を確保するように前記文字色と背景色の明度を調節した後にバックライトの輝度を最低レベルに設定してコンテンツを表示することを更に特徴とする請求項１に記載のコンテンツのコントラスト制御方式。
【請求項４】
前記制御手段は、電池残量が所定の閾値以上か否かを判断し、前記電池残量が前記閾値より高い場合にはバックライトの輝度を標準レベルに設定してコンテンツを表示することを更に特徴とする請求項１に記載のコンテンツのコントラスト制御方式。
【請求項５】
前記制御手段は、電池残量が所定の閾値以上か否かを判断し、前記電池残量が前記閾値よりも低い場合であって、前記算出された文字色と背景色のコントラスト値が前記コントラスト基準値よりも大きいときにはバックライトの輝度を最低レベルに設定してコンテンツを表示することを更に特徴とする請求項４に記載のコンテンツのコントラスト制御方式。
【請求項６】
前記制御手段は、電池残量が所定の閾値以上か否かを判断し、前記電池残量が前記閾値よりも低い場合であって、前記算出された文字色と背景色のコントラスト値が前記コントラスト基準値よりも小さいときには前記コントラスト基準値を確保するように前記文字色と背景色の明度を調節した後にバックライトの輝度を最低レベルに設定してコンテンツを表示することを更に特徴とする請求項４に記載のコンテンツのコントラスト制御方式。
【請求項７】
前記制御手段は、取得されたコンテンツが画像データのみか否かを判断し、前記コンテンツが画像データのみの場合にはバックライトの輝度を標準輝度に設定してコンテンツを表示することを更に特徴とする請求項１に記載のコンテンツのコントラスト制御方式。
【請求項８】
前記制御手段は、取得されたコンテンツが画像データのみか否かを判断し、前記コンテンツが画像データのみでなく、更に前記算出された文字色と背景色のコントラスト値が前記コントラスト基準値を確保している場合であって、前記コンテンツに画像データを含まない場合には、バックライトの輝度を最低レベルに設定してコンテンツを表示することを更に特徴とする請求項７に記載のコンテンツのコントラスト制御方式。
【請求項９】
前記制御手段は、取得されたコンテンツが画像データのみか否かを判断し、前記コンテンツが画像データのみでなく、更に前記算出された文字色と背景色のコントラスト値が前記コントラスト基準値を確保している場合であって、前記コンテンツに画像データを含む場合であって、かつ表示画面内に画像がない場合にはバックライトの輝度を最低輝度に設定してコンテンツを表示し、表示画面内に画像がある場合にはバックライトの輝度を標準輝度に設定してコンテンツを表示することを更に特徴とする請求項７に記載のコンテンツのコントラスト制御方式。
【発明の詳細な説明】
【０００１】
【発明の属する技術分野】
本発明は、インターネット接続機能を有する携帯電話装置に関し、特に、取得したコンデンツデータを表示する際のコントラスト制御に係り、詳しくは、コンデンツデータの背景と文字のコントラスト比を制御することにより、バックライトの明るさを自動的に設定して、バックライトの省電力化を図ることを特徴としたディスプレイのコントラスト制御方式に関する。
【０００２】
【従来の技術】
携帯電話や簡易携帯電話などの携帯端末は、インターネット接続機能を有するものが標準的になりつつある。コンテンツデータの多様化が進むにつれ、ディスプレイの表現力向上が求められ、階調表現可能なディスプレイを備えた端末が一般的になってきている。
【０００３】
携帯電話に搭載されるディスプレイには、透過型、反射型、半透過型、自発光型などが実用化されているが、バックライトにより表示を行うディスプレイは透過型、反射型、半透過型が一般的である。
【０００４】
この種の技術の第１の従来例として、特開平９−２４７７２７号公報に開示された技術を挙げることができる。
【０００５】
この第１の従来例は、ＬＣＤを用いた端末機において、バックライトの点灯時には、表示が薄くなって見えにくくなることを防止するように、バックライトの消灯時には表示コントラストを低く、点灯時には高くすることにより見やすい表示を行うことを目的としており、入力部からのバックライトのＯＮ／ＯＦＦを切り替える信号に基づいて、バックライトの消灯時にはＬＣＤドライバにコントラスト値として通常コントラスト値を設定し、バックライトの点灯時にはＬＣＤドライバに通常コントラスト値よりもコントラストの高い点灯時コントラスト値を設定し、それらのコントラスト値に従ってＬＣＤを表示することを特徴としている。
【０００６】
第２の従来例として、特開２０００−７５９６３号公報に開示された技術を挙げることができる。
【０００７】
この第２の従来例は、表示装置に対する省電力レベルが変化した際に、使用者がその度毎に表示装置の設定を変更する必要なしに、画面表示情報の視認性低下の影響を低減できる表示装置の省電力制御システムを提供することを目的とし、表示装置のバックライトを制御し、輝度調整を行うことで表示装置の省電力制御を司る表示装置の省電力制御システムにおいて、表示装置の省電力レベルに応じたパラメータ値を記憶する設定記憶メモリと、表示装置の省電力処理の際に、入力装置からの入力状況やバッテリレベル検出手段の情報に基づき、表示装置の省電力レベルを選択し、この省電力レベルに応じたパラメータ値を前記設定記憶メモリから取得し、設定することで実現するものである。
【０００８】
第３の従来例として、特開２００１−２９８７６１号公報に開示された技術が挙げられる。
【０００９】
この第３の従来例は、前記第１の従来例とほぼ同様の趣旨のものである。
【００１０】
【発明が解決しようとする課題】
バックライトを点灯するための電力は、電池から供給されるが、携帯電話の電池は、小型化の要求から容量が限られている。バックライトに必要な電力は、電池寿命に最も影響を与える要素の一つであり、常時点灯してしまうと電池寿命が著しく短くなってしまうという問題がある。
【００１１】
このために、バックライトは、通常、ボタン操作時やコンテンツ表示時に点灯され、ボタン操作が一定時間なければ一般的に消灯される動作となる。
【００１２】
しかるに、インターネット等のコンテンツ表示を行う場合には、スクロール操作や別のコンテンツ表示を行う操作が頻繁に発生し、結果的にバックライト点灯状態が継続してしまい、電池寿命を短くしてしまうという問題があった。
【００１３】
また、バックライトの省電力化を行う手段として、バックライトの輝度設定を暗くしたり、ＯＦＦ設定する機能を設けている場合があるが、バックライトの省電力を図ることはできるものの、視認性の低下や、切り替え設定を行うユーザ操作を必要とする問題があった。
【００１４】
本発明は、従来の上記実情に鑑み、従来の技術に内在する上記課題を解決するためになされたものであり、従って本発明の目的は、表示コンテンツのコントラストを自動的に制御することにより、バックライトの省電力化を図ることを可能とした新規なディスプレイコントラスト制御方式を提供することにある。
【００１５】
【課題を解決するための手段】
上記目的を達成する為に、本発明に係るコンテンツのコントラスト制御方式は、入力されたコンテンツデータの文字色と背景色の指定を検出し該指定された文字色の明度と背景色の明度を算出し該算出された明度から文字色と背景色のコントラスト値を算出して該算出されたコントラスト値と記憶部に格納されているコントラスト基準値とを比較し該算出されたコントラスト値と前記コントラスト基準値との差を算出し、文字色と背景色のコントラスト値が前記コントラスト基準値となるように文字色と背景色の明度を調節し、バックライトの輝度レベルを設定する制御手段を備えて構成されている。
【００１６】
前記算出された文字色と背景色のコントラスト値が前記コントラスト基準値よりも大きいときにはバックライトの輝度を最低レベルに設定してコンテンツを表示する。
【００１７】
前記算出された文字色と背景色のコントラスト値が前記コントラスト基準値よりも小さいときには前記コントラスト基準値を確保するように前記文字色と背景色の明度を調節した後にバックライトの輝度を最低レベルに設定してコンテンツを表示する。
【００１８】
前記制御手段は、電池残量が所定の閾値以上か否かを判断し、前記電池残量が前記閾値より高い場合にはバックライトの輝度を標準レベルに設定してコンテンツを表示する。
【００１９】
前記制御手段は、電池残量が所定の閾値以上か否かを判断し、前記電池残量が前記閾値よりも低い場合であって、前記算出された文字色と背景色のコントラスト値が前記コントラスト基準値よりも大きいときにはバックライトの輝度を最低レベルに設定してコンテンツを表示する。
【００２０】
前記制御手段は、電池残量が所定の閾値以上か否かを判断し、前記電池残量が前記閾値よりも低い場合であって、前記算出された文字色と背景色のコントラスト値が前記コントラスト基準値よりも小さいときには前記コントラスト基準値を確保するように前記文字色と背景色の明度を調節した後にバックライトの輝度を最低レベルに設定してコンテンツを表示する。
【００２１】
前記制御手段は、取得されたコンテンツが画像データのみか否かを判断し、前記コンテンツが画像データのみの場合にはバックライトの輝度を標準輝度に設定してコンテンツを表示する。
【００２２】
前記制御手段は、取得されたコンテンツが画像データのみか否かを判断し、前記コンテンツが画像データのみでなく、更に前記算出された文字色と背景色のコントラスト値が前記コントラスト基準値を確保している場合であって、前記コンテンツに画像データを含まない場合には、バックライトの輝度を最低レベルに設定してコンテンツを表示する。
【００２３】
前記制御手段は、取得されたコンテンツが画像データのみか否かを判断し、前記コンテンツが画像データのみでなく、更に前記算出された文字色と背景色のコントラスト値が前記コントラスト基準値を確保している場合であって、前記コンテンツに画像データを含む場合であって、かつ表示画面内に画像がない場合にはバックライトの輝度を最低輝度に設定してコンテンツを表示し、表示画面内に画像がある場合にはバックライトの輝度を標準輝度に設定してコンテンツを表示する。
【００２４】
【発明の実施の形態】
次に、本発明をその好ましい一実施の形態について図面を参照しながら詳細に説明する。
【００２５】
図１は、本発明に係る携帯電話や簡易携帯電話などの移動電話装置の一実施の形態を示すブロック構成図である。
【００２６】
【実施の形態の構成】
図１を参照するに、アンテナ１は電波を受信し、無線部２は受信した高周波無線信号を周波数変換、雑音除去後に、復調を行う。制御部３は、無線部２で復調されたディジタル信号をデコードして画像データに変換する。操作部６は、表示部５の表示を切り替えるスクロール操作を行う。
【００２７】
制御部３は、コンテンツデータの文字色と背景色の指定を検出する。制御部３は、文字色の明度と背景色の明度を算出する。制御部３は、算出した明度から文字色と背景色のコントラスト値を算出する。制御部３は、記憶部４に内蔵されているコントラスト基準値と算出したコントラスト値を比較する。制御部３は、コントラスト基準値と算出したコントラスト値の差を算出し、文字色と背景色のコントラスト値がコントラスト基準値となるように文字色と背景色の明度を調節する。制御部３は、バックライト８の輝度レベルを設定する。
【００２８】
記憶部４は、コントラスト基準値を内蔵する。表示部５は、コンテンツデータを表示する。電源部７は、バックライト８をはじめとする各部に電源を供給している。
【００２９】
【実施の形態の動作】
次に、本発明による一実施の形態の第１の実施例の動作について説明する。
【００３０】
図２は本発明による一実施の形態の第１の実施例の動作フローを示すフローチャートである。
【００３１】
ここで、図２のフローチャートによる説明の前に、ＨＴＭＬ、ＧＩＦ、ＪＰＥＧのＲＧＢ値判別について説明する。
【００３２】
ＨＴＭＬ
ＨＴＭＬは、タグを使って色の指定を行う。
【００３３】
背景の色を指定したい場合には、ドキュメントを表す＜ＢＯＤＹ＞タグにＢＧＣＯＬＯＲ＝“★”（★：色指定値＃ＲＲＧＧＢＢ）を追加する。
【００３４】
例：＜ＢＯＤＹ　ＢＧＣＯＬＯＲ＝“＃００００ＦＦ”＞ｔｅｓｔ　ｄａｔａ＜／ＢＯＤＹ＞
→背景は青色（ＲＧＢ＝００００ＦＦ）で表示される。
【００３５】
文字の色を指定したい場合には、ドキュメントを表す＜ＢＯＤＹ＞タグにＴＥＸＴ＝“★”（★：色指定値＃ＲＲＧＧＢＢ）を追加する。
【００３６】
例：＜ＢＯＤＹ　ＢＧＣＯＬＯＲ＝“＃００００ＦＦ”ＴＥＸＴ＝“＃ＦＦＦＦ００”＞ｔｅｓｔ　ｄａｔａ＜／ＢＯＤＹ＞
→背景は青色、文字“ｔｅｓｔ　ｄａｔａ”は黄色（ＲＧＢ＝ＦＦＦＦ００）で表示される。
【００３７】
上記、背景色のＲＧＢ値＝００００ＦＦと文字色のＲＧＢ値＝ＦＦＦＦ００からコントラスト値を計算する。
【００３８】
ＧＩＦ
ＧＩＦは最大２５６色のパレットを持っており、パレット番号０〜２５５に画像で使用する色が指定されている。
【００３９】
パレットは、パレット番号とそれに対応するＲＧＢ値が指定されている。
【００４０】
ＧＩＦは、ＬＺＷ圧縮されているが、伸長したデータの各ピクセルにはパレット番号が指定されており、パレット番号に対応するＲＧＢ値が各ピクセルのＲＧＢ値になる。
【００４１】
ＪＰＥＧ
ＪＰＥＧは輝度情報と色差情報で別々に圧縮する画像フォーマットである。
【００４２】
圧縮されたデータを展開し、各ピクセルの輝度情報と色差情報が復号化される。輝度情報（Ｙ）と色差情報（Ｃｒ，Ｃｂ）からＲＧＢ値は以下の計算により算出される。
【００４３】
輝度情報とは色の明るさ、色差情報は２つあり、ＣｒはＲ成分とＹ成分の差分、ＣｂはＢ成分とＹ成分の差分を表す。
【００４４】
Ｒ＝Ｙ＋１．４０２（Ｃｒ−１２８）
Ｇ＝Ｙ−０．３４４１４（Ｃｂ−１２８）−０．７１４１４（Ｃｒ−１２８）
Ｂ＝Ｙ＋１．７７２（Ｃｂ−１２８）
図２を参照するに、ステップ１０１において表示するコンテンツデータを取得すると、制御部３は、コンテンツデータに指定されている文字色と背景色の明度を算出する（ステップ１０２）。
【００４５】
次にステップ１０３において制御部３は、算出した文字色の明度ｘと背景色の明度ｙからコントラスト値ｂを算出する。調節前の文字色と背景色の例を図８に示す。図８の例は、文字色の方が背景色より明度が高い状態を表している。コントラスト値ｂは、式（１）
ｂ＝｜ｘ−ｙ｜・・・・・・・（１）
により算出する。
【００４６】
制御部３は、記憶部４に格納している基準値ａとコントラスト値ｂを比較する。基準値ａは、バックライト８の輝度が最低レベルであってもユーザの視認性を確保可能なコントラスト値とする。
【００４７】
ここで、制御部３はステップ１０４において算出されたコントラスト値ｂが基準値ａより大であるか否かを判断する。
【００４８】
ステップ１０４の判断の結果、制御部３は、コントラスト値ｂが基準値ａより大きければ、バックライト８の輝度を最低レベルに設定し（ステップ１０５）て、コンテンツを表示する（ステップ１０６）。
【００４９】
制御部３は、ステップ１０４の判断の結果、コントラスト値ｂが基準値ａより小さければ（ＮＯの場合）、基準値ａを確保するように文字色と背景色の明度を調節する（ステップ１０７）。図８に調節後の文字色と背景色の例を示す。基準値ａに対して式（２）により不足しているコントラストをｃとすると、不足しているコントライトｃは式（２）によって与えられる。
【００５０】
ｃ＝ａ−ｂ・・・・・・・（２）
本第１の実施例では、不足しているコントラストを補うために、文字色の明度をｃ／２上げ、背景色の明度をｃ／２下げている。
【００５１】
制御部３は、コントラストの基準値を満たすように調節を行った後に、バックライト８の輝度を最低レベルに設定し（ステップ１０５）、コンテンツを表示する（ステップ１０６）。
【００５２】
【他の実施例】
次に本発明による一実施の形態における他の実施例について説明する。
【００５３】
図３は本発明の第２の実施例の動作フローを示すフローチャートである。
【００５４】
この第２の実施例は、電池残量が低下している場合にのみ、コンテンツのコントラスト制御を行う例である。
【００５５】
図３を参照するに、ステップ２０１において表示するコンテンツデータを取得すると、制御部３は、ステップ２０２において電池残量が基準値以上かどうかの判定を行う。電池とは電源部７に含まれるものとする。また、電池残量の基準値は、記憶部４に内蔵され、バックライト８の省電力化が必要となる電池残量が設定される。
【００５６】
ステップ２０２の判定の結果、電池残量が基準値以上の場合（ＮＯの場合）には、制御部３は、バックライト８の輝度を標準レベルに設定し、コンテンツを表示する。
【００５７】
ステップ２０２の判定の結果、電池残量が基準値未満の場合（ＹＥＳ場合）には、制御部３は、コンテンツデータに指定されている文字色と背景色の明度を算出する。次に、制御部３は、算出した文字色の明度ｘと背景色の明度ｙからコントラスト値ｂを算出する。調節前の文字色と背景色の例を図８に示す。図８の例は、文字色の方が背景色より明度が高い状態を表している。コントラスト値ｂは、式（１）
ｂ＝｜ｘ−ｙ｜・・・・・・・（１）
により算出する。
【００５８】
制御部３は、記憶部４に格納されている基準値ａとコントラスト値ｂを比較する。基準値ａは、バックライト８の輝度が最低レベルであってもユーザの視認性を確保可能なコントラスト値とする。
【００５９】
制御部３は、コントラスト値ｂが基準値ａより大きければ、バックライト８の輝度を最低レベルに設定し（ステップ２０６）、コンテンツを表示する（ステップ２０７）。
【００６０】
制御部３は、コントラスト値ｂが基準値ａより小さければ、基準値ａを確保するように文字色と背景色の明度を調節する（ステップ２０８）。図８に調節後の文字色と背景色の例を示す。
【００６１】
基準値ａに対して不足しているコントラストをｃとすると、式（２）により与えられる。
【００６２】
ｃ＝ａ−ｂ・・・・・・・（２）
本第２の実施例では、不足しているコントラストを補うために、文字色の明度をｃ／２上げ、背景色の明度をｃ／２下げている。
【００６３】
制御部３は、ステップ２０８において、コントラストの基準値を満たすように調節を行った後に、バックライト８の輝度を最低レベルに設定し、コンテンツを表示する（ステップ２０６、２０７）。
【００６４】
図４、図５、図６、図７は本発明の第３の実施例の動作フローを示すフローチャートである。
【００６５】
次に本発明による一実施の形態における第３の実施例の動作について図４、図５、図６、図７を用いて説明する。
【００６６】
画像を表示する場合には、テキスト表示とは異なり、最適のバックライト８輝度以外では、情報が正しく伝わらない可能性がある。この点に鑑み、本第３の実施例では、表示画面に画像が含まれていない場合にのみバックライト８の省電力化を行う例である。
【００６７】
図４〜図７を参照するに、ステップ３０１でコンテンツデータを取得すると、制御部３は、ステップ３０２においてコンテンツは画像データのみかどうかの判定を行う。
【００６８】
ステップ３０２の判定の結果、画像データのみ（ＹＥＳ）の場合には、制御部３は、ステップ３１６でバックライト８の輝度を標準レベルに設定し、コンテンツを表示部５に表示する（ステップ３１７）。
【００６９】
ステップ３０２の判定の結果、画像データのみではない（ＮＯ）場合には、制御部３は、コンテンツデータに指定されている文字色と背景色の明度を算出する（ステップ３０３）。
【００７０】
次に、制御部３は、ステップ３０４において算出した文字色の明度ｘと背景色の明度ｙからコントラスト値ｂを算出する（ステップ３０４）。調節前の文字色と背景色の例を図８に示す。図８の例は、文字色の方が背景色より明度が高い状態を表している。コントラスト値ｂは、式（１）
ｂ＝｜ｘ−ｙ｜・・・・・・・（１）
により算出する。
【００７１】
制御部３は、記憶部４に格納されている基準値ａと算出されたコントラスト値ｂとを比較する（ステップ３０５）。基準値ａは、バックライト８の輝度が最低レベルであってもユーザの視認性を確保可能なコントラスト値とする。
【００７２】
制御部３は、ステップ３０５による比較の結果、コントラスト値ｂが基準値ａより小さければ、ステップ３０７において基準値ａを確保するように文字色と背景色の明度を調節する。図８に調節後の文字色と背景色の例を示す。基準値ａに対して不足しているコントラストをｃとすると、ｃは式（２）により与えられる。
【００７３】
ｃ＝ａ−ｂ・・・・・・・（２）
本第３の実施例では、不足しているコントラストを補うために、文字色の明度をｃ／２上げ、背景色の明度をｃ／２下げている。
【００７４】
次に、制御部３は、ステップ３０５による比較の結果、算出されたコントラスト値ｂが基準値ａ以上であるとの判断がなされた（ＹＥＳ）場合には、ステップ３０６においてコンテンツに画像データを含むかどうかの判断を行う。
【００７５】
ステップ３０６の判断の結果、画像データを含まない（ＮＯ）場合には、制御部３は、バックライト８の輝度を最低レベルに設定し（ステップ３１４）、コンテンツを表示する（ステップ３１５）。
【００７６】
ステップ３０６の判断の結果、画像データを含む（ＹＥＳ）場合には、制御部３は、ステップ３０８において、表示部５に初期画面で表示する内容に画像が含まれるかどうかを判断する。図１０にコンテンツ表示画面例を示す。画面１が表示する内容に画像を含む状態を示し、画面２が表示する内容に画像を含まない状態を表している。
【００７７】
ステップ３０８の判断の結果、表示する内容に画像が含まれている場合（ＹＥＳ）には、制御部３はバックライト８の輝度を標準レベルに設定し、コンテンツを表示する（ステップ３１２、３１０）。表示する内容に画像が含まれていない場合（ＮＯ）には、制御部３はバックライト８の輝度を最低レベルに設定し、コンテンツを表示する（ステップ３０９、３１０）。
【００７８】
次に、制御部３は、対象コンテンツデータを画面内に全て表示しているかを判断する（ステップ３１１）。具体的には、対象コンテンツデータ全てを表示するために、画面表示を切り替えるスクロール操作等が必要な場合である。
【００７９】
図１０に示す画面例で、画面１と画面２が１つのコンテンツデータであった場合には、図１０における画面１で“■概況”以降は、初期画面では、表示部５の大きさの制約で表示することができず、スクロール操作による画面切り替えが必要となる。従って、ステップ３１１で対象コンテンツデータが画面内に全て表示されているかが判断され、その判断の結果、ＮＯの場合にはステップ３１３に進み、ステップ３１３においてスクロール操作ありか否か判断される。
【００８０】
ステップ３１１、３１３の判断の結果、画面内に全て表示していない場合で、スクロール操作があった場合、即ち、ステップ３１３のＹＥＳの場合には、ステップ３０８に戻り、スクロール操作を行った後に表示する画面について、再たび表示部５に表示する内容に画像が含まれるかどうかの判断処理に遷移する。
【００８１】
【発明の効果】
本発明は以上の如く構成され、作用するものであり、本発明によれば、コンテンツデータの文字色と背景色のコントラスト制御を行うことにより、バックライトが低輝度の状態でも視認性を確保することができる効果が得られる。従って、常に、コンテンツの視認性を犠牲にすることなく、バックライトの省電力化を実現することが可能となる。
【図面の簡単な説明】
【図１】本発明による一実施の形態を示すブロック構成図である。
【図２】本発明による一実施の形態における第１の実施例の動作フローを示すフローチャートである。
【図３】本発明による一実施の形態における第２の実施例の動作フローを示すフローチャートである。
【図４】本発明による一実施の形態における第３の実施例の動作フローを示すフローチャートである。
【図５】本発明による一実施の形態における第３の実施例の動作フローを示すフローチャートである。
【図６】本発明による一実施の形態における第３の実施例の動作フローを示すフローチャートである。
【図７】本発明による一実施の形態における第３の実施例の動作フローを示すフローチャートである。
【図８】本発明に係るコントラスト調節の一例を示す概念図である。
【図９】バックライトの輝度設定を示す概念図である。
【図１０】コンテンツ表示例を示す図である。
【符号の説明】
１…アンテナ
２…無線部
３…制御部
４…記憶部
５…表示部
６…操作部
７…電源部
８…バックライト
【図１】
2004004372.tif 000003
【図２】
2004004372.tif 000004
【図３】
2004004372.tif 000005
【図４】
2004004372.tif 000006
【図５】
2004004372.tif 000007
【図６】
2004004372.tif 000008
【図７】
2004004372.tif 000009
【図８】
2004004372.tif 000010
【図９】
2004004372.tif 000011
【図１０】
2004004372.tif 000012